(57)【要約】      （修正有）【課題】小さく圧縮したシート材に液体を確実に供給して膨張させ取り出して使用することができ、暖かい状態か或いは冷たい状態にして使用することができるナプキンを提供する。【解決手段】手拭き等として使用可能な大きさとなるシート材を小さく圧縮してパックに収納したナプキン２０であって、扁平な構造を有し、かつ、内部を分離帯１６により少なくとも２室１２、１３に分けたパック１１を使用し、シート材を上記パック１１の２室の内の一室に配置し、分離帯の破断によりシート材に含浸させて膨らませる液体を上記パックの２室の内の他室に配置する。パック１１は、周縁を強接着１４するするとともに、中間部分においてパック１１を２分する分離帯１６を弱接着１５することにより、内部を２室に分けており、液体の含浸により膨張したシート材を加熱する加熱手段、または、液体の含浸により膨張したシート材を冷却する冷却手段をパック１１に併設する。【選択図】図２
2008086415.tif 000002
【特許請求の範囲】
【請求項１】
膨張後に広げると、手拭き等として使用可能な形状及び大きさとなるシート材を小さく圧縮してパックに収納したナプキンであって、
扁平な構造を有し、かつ、内部を分離帯により少なくとも２室に分けたパックを使用し、分離帯は液体に対して密封性を有するとともに、所定以上の圧力を加えると破断して２室を通じるように設け、シート材には液体の含浸により膨張し、広げると、手拭き等として使用可能な形状及び大きさとなるように圧縮成型したものを使用し、そのシート材を上記パックの２室の内の一室に配置し、分離帯の破断によりシート材に含浸させて膨張させる液体を上記パックの２室の内の他室に配置した構成を有するナプキン。
【請求項２】
パックは、熱可塑性プラスチックフィルムを用いて、周縁を強接着することにより形成するとともに、中間部分においてパックを２分する分離帯を弱接着することにより、内部を２室に分けており、弱接着の分離帯を設けるために、パックに用いた熱可塑性プラスチック同士の接着よりも弱い接着力で接着する異種又は同種の熱可塑性プラスチックを、パックを構成している熱可塑性プラスチックフィルム間に介在させて、接着した構成を有している請求項１記載のナプキン。
【請求項３】
液体の含浸により膨張したシート材を加熱する加熱手段をパックに併設し、シート材を暖めて使用することを可能にした請求項１又は２記載のナプキン。
【請求項４】
液体の含浸により膨張したシート材を冷却する冷却手段をパックに併設し、シート材を冷やして使用することを可能にした請求項１又は２記載のナプキン。
【発明の詳細な説明】
【技術分野】
【０００１】
本発明は、膨張後に広げると、手拭き等として使用可能な形状及び大きさとなるシート材を小さく圧縮してパックに収納した構成を有するおしぼりないしはナプキンの類に関するものである。
【背景技術】
【０００２】
おしぼりないしは濡れナプキンに属する商品は公知であり、例えば、不織布に水分を含浸させ、かつ定形に切断してプラスチックフィルム製の袋に１個ずつ包装したものや、或いは、定寸ごとにミシン目などを設けて連続的に形成し、これを容器の口から引き出せるように充填したものなどがある。しかしこれらの商品は、水分を含浸しており、直ぐにでも使用できる状態にあるため、大きく、嵩があり、場所を取るので、携帯性に問題を生じる。また、不織布等の素材が水分と接触している状態にあることから、変質の可能性や、使用期限の問題もある。
【０００３】
これに対し特開平１１−１３９４６３号は、袋内に乾燥状態のティッシュを水性液が充填された小袋とともに収容し、マイクロ波加熱時の内圧上昇により破袋して、熱く蒸れた状態にすることができる発明を開示している。このためマイクロ波による加熱ができない場合には使用することができず、例えば、何の設備もない出先では使用することができない。
【０００４】
また、実用新案登録第３０７２９６０号は、乾燥おしぼり体を折りたたみ、その中に、水または消毒液を充填した個装液袋を収納し、使用時におしぼり体をその外部から絞り込んで袋内の水または消毒液を破砕し、おしぼり体にしみ込ませることができる考案を開示している。しかしこれでは、乾燥おしぼり体は折りたたんだ状態にしか小さくならず、また、おしぼり体内に収納されている個装液袋からどの程度水または液がしみ込んだのかが分かりにくく、個装液袋を取り除く手間もかかるという問題がある。
【０００５】
【特許文献１】特開平１１−１３９４６３号
【特許文献２】実用新案登録第３０７２９６０号
【発明の開示】
【発明が解決しようとする課題】
【０００６】
本発明は前記の点に着目してなされたものであり、その課題は、携帯性に優れており、かつ、必要なときに濡れた状態にして使用することができるナプキンを提供することである。また、本発明の他の課題は、小さく圧縮したシート材に液体を確実に供給して膨張させ、取り出してそのまま使用することができるナプキンを提供することである。また、本発明の他の課題は、暖かい状態か或いは冷たい状態にして使用することができるナプキンを提供することである。
【課題を解決するための手段】
【０００７】
前記の課題を解決するため、本発明は、膨張後に広げると手拭き等として使用可能な形状及び大きさとなるシート材を小さく圧縮してパックに収納したナプキンとして、扁平な構造を有し、かつ、内部を分離帯により少なくとも２室に分けたパックを使用し、分離帯は液体に対して密封性を有するとともに、所定以上の圧力を加えると破断して２室を通じるように設け、シート材には液体の含浸により膨張し、広げると、手拭き等として使用可能な形状及び大きさとなるように圧縮成型したものを使用し、そのシート材を上記パックの２室の内の一室に配置し、分離帯の破断によりシート材に含浸させて膨らませる液体を上記パックの２室の内の他室に配置するという手段を講じたものである。
【０００８】
本発明に係るナプキンを構成するシート材には、液体の含浸により膨張し、広げると手拭き等として使用可能な形状及び大きさとなるように圧縮成型したものを使用する。シート材は、使用前の状態では小さく圧縮された状態にあり、使用時に液体を含浸させると膨張し、これを広げることで原型に復元し、濡れたナプキンないしおしぼりとなる。即ち、手拭き等として使用可能な形状及び大きさとなる。復元時の用途としては、おしぼりやハンカチ、或いはタオルの類が考えられるが、これらに限定されるものでもない。
【０００９】
このような小さく圧縮されたシート材としては、合成樹脂又は天然樹脂から成る繊維を材料とする織布又は不織布を定寸に切断し、圧縮成型手段により、例えば直径１〜数センチ、高さ０．５〜数センチに成型したものを使用する。勿論サイコロのような角型や、ガムのような板状に整形したものであっても良く、大きさも上記寸法に制限されない。このようにしてシート材を小さく圧縮したナプキンは、乾燥状態において小さく圧縮された状態を維持するので、携帯性を損なわない。
【００１０】
上記の小さく圧縮したナプキンは、パックに収納した状態で扱われ、使用時にパック内において膨張させ、その後でパックから取り出して使用する。このため、パックは小さく圧縮したナプキンと、それに供給する液体を、別々に収容しておくことができる構成を有していなければならない。
【００１１】
本発明ではそのための構成の一つとして、扁平な構造を有し、かつ、内部を分離帯により少なくとも２室に分けたパックを使用し、分離帯は液体に対して密封性を有するとともに、所定以上の圧力を加えると破断して２室を通じるように設けるものとする。このようなパックに該当する典型的な容器は、扁平な袋状構造を有するものである。従って丸めたり、折り曲げたりしても何も問題はなく、携帯性が良い。
【００１２】
上記の扁平な袋状構造を有するパックの一例としては、熱可塑性プラスチックフィルムを用いて、周縁を強接着することにより形成するとともに、中間部分においてパックを２分する分離帯を弱接着することにより、内部を２室に分ける方法がある。請求項２。弱接着の分離帯を設けるためには、パックに用いた熱可塑性プラスチック同士の接着よりも弱い接着力で接着する異種の熱可塑性プラスチックを、パックを構成している熱可塑性プラスチックフィルム間に介在させて、接着する方法や、同種の熱可塑性プラスチック同士
を、強接着部分よりも低温で接着する方法などがある。
【００１３】
本発明では、小さく圧縮した扁平な袋状構造を有するシート材を、上記パックの２室の内の一室に配置し、分離帯の破断によりシート材に含浸させてシート材を膨らませる液体を、上記パックの２室の内の他室に配置する。即ち分離帯は、所定以上の圧力を加えると破断して２室を通じるために、強固な接着（強接着）である周縁よりも、相対的に脆弱な接着（弱接着）で、接着されているものである。
【００１４】
なお、分離帯は、その全部が弱接着であっても良いが、一部のみ弱接着とし、それ以外の箇所は強接着とすることもできる。図示の例を参照すると、パックは日の字の形態を持ち、その中央の横線が分離帯に当たるので、弱接着の部分は中央の分離帯の一部ないしは全部に設けられる。
【００１５】
このように構成されたパック入りのナプキンでは、液体の含浸により膨張したシート材を加熱する加熱手段をパックに併設し、シート材を暖めて使用するという構成を併用することができる。加熱手段としては、使い捨てカイロないしは使い切りタイプの懐炉などと呼ばれる、鉄粉の酸化作用を利用したカイロを使用するのが、価格、安全性、使い易さなどから最も望ましい。
【００１６】
また、液体の含浸により膨張したシート材を冷却する冷却手段をパックに併設し、シート材を冷やして使用することも可能である。冷却手段としては、冷却パック、氷点何々などと呼ばれる、化学物質を充填した保冷具を使用するのが、やはり価格、安全性、使い易さなどから最も望ましい。
【００１７】
本発明に使用する液体は、各種の水ないし、消毒や清涼用の成分を含有させた水溶液、或いは非水溶液その他あらゆる液体を使用可能である。それらの液体が着色されているか色を帯びている場合には、着色から含浸状態が分かる。また、逆説的であるが、パック内の液体を使わなくてもシート材を膨張させることは可能である。
【発明の効果】
【００１８】
本発明は以上のように構成されかつ作用するものであるから、小さく、形態性に優れており、かつ、使用時までは乾燥状態を保ち、必要なときに濡れた状態にして使用することができるという効果を奏する。また、本発明は、所定以上の圧力を加えると破断する分離帯により、小さく圧縮した状態にあるシート材に、液体を確実に供給して膨張させ、取り出してそのまま使用することができる。また、本発明によれば、加熱手段の併用により暖かい状態にして使用でき、或いは冷却手段の併用により冷たい状態にしても使用することができる。特に本発明では、シート材が小さく圧縮された状態にあるにも拘ず、パックに収納されており、液体の含浸により膨張するまで取り出されることはないので、小さく圧縮されたものを誤飲する事故を防ぐことができる。
【発明を実施するための最良の形態】
【００１９】
以下図示の実施形態を参照し、本発明のナプキンについて、より詳細に説明する。図１は、本発明に係るナプキンの外観を示しており、熱可塑性プラスチックを使用し、その４周縁を接着して、長方形状を有する扁平な袋状構造のパック１１を形成した例１に関するものである。
【００２０】
符号１０は広げると、手拭き等として使用可能な形状及び大きさとなるように小さく圧縮成型したシート材を示す。小さく圧縮されたシート材１０は、銀、亜鉛などの抗菌性を有する極微細金属粉末が分散されている合成樹脂又は天然樹脂から成る繊維を材料とする織布又は不織布を、定寸に切断し、圧縮成型手段により、例えば直径２．５センチ、高さ２センチに成型したものである。小さく圧縮したシート材１０の大きさは、目的、用途に応じたものを使用することができる。図４参照。
【００２１】
図示の例では、パック１１に用いた熱可塑性プラスチックとして、フィルムを張り合わせて２重にしたものを使用し、万が一にも液漏れを生じないように図っている。図示のパック１１は、周縁を強接着することにより形成するとともに、中間部分においてパックを２分する分離帯を弱接着することにより、内部を２室１２、１３に分けている。符号１４は強接着を、また１５は弱接着を示す。
【００２２】
実施形態では、熱可塑性プラスチックであるポリエステルフィルムを使用して形成したパック１１をそのほぼ中央部にて２分するように、弱接着１５の分離帯を設けている。そのために、図示の例では、パック１１に用いた熱可塑性プラスチック同士の接着よりも弱い接着力で接着する、異種の熱可塑性プラスチックとしてナイロンを、パック１１を構成している熱可塑性プラスチックフィルム間に介在させた上で接着している(図３参照)。
【００２３】
図３に示したことから明らかなように、弱接着１５の分離帯は、分離帯構成材１６の横断面方向の中央部にのみ設けている。図示の場合、分離帯は幅方向の全部分が弱接着１５であるので、パック１１の２室１２、１３のいずれかを強く加圧すると、弱接着１５の部分にて破断を生じる設定である。
【００２４】
上記パック１１の２室の内の一室１２に小さく圧縮したシート材１０を配置し、分離帯の破断によりシート材１０に含浸させて膨らませるに足る分量の液体１７を、上記パックの２室の内の他室１３に配置する。この液体１７には、水、又は水を主体とする水溶液、ないしは消毒液などの特別の用途を有する成分から成る液を使用することができる。その場合、液体１７がパックの構成材料や、分離帯の構成材料などとの関係において安定な成分であることは当然必要なことである。
【００２５】
このように構成されたパック１１には、図５に示すように、シート材１０を加熱する加熱手段１８をパック１１に併設し、液体１７の含浸により膨張したシート材１０を暖めて使用するという構成を併用することができる。加熱手段１８としては、使い捨てカイロないしは使い切りタイプのカイロなどと呼ばれる、鉄粉の酸化作用を利用したカイロを使用する。
【００２６】
また、図５の加熱手段１８に変えてシート材１０を冷却する冷却手段１９をパック１１に併設し、シート材１０を冷やして使用することも可能である。冷却手段１９としては、冷却パック、氷点何々などと呼ばれる、化学物質を充填した保冷具(例えば、株式会社サンケイ商事製造に係る瞬間冷却パック「冷えっ子」)を使用することができる。
【００２７】
シート材１０をパック１１の２室の内の一室１２に配置し、他室１３に液体１７を配置した構成を有する、本発明に係るナプキンを使用するには、パック１１を加圧して、弱接着１５にて分離帯を破断させる。分離帯の破断により液体１７は上記一室１２から破断部２１を通過し、シート材１０に含浸してこれを膨らませナプキン２０とするが、膨張が完了することにより液体１７も完全に吸収される濡れナプキンとなる。図２及び図５Ｂの状態である。
【００２８】
そこで、パック１１を切り口２２から開いて、膨張した濡れたナプキン２０を取り出
し、そのまま使用することができる。加熱手段１８、冷却手段１９を併用している場合には、加熱手段１８を揉み発熱状態にして濡れたナプキン２０に接触させることにより暖
め、或いは冷却手段１９を打圧し冷却状態にして濡れたナプキン２０に接触させることにより冷やして使用する。
【００２９】
さらに、図６、図７により本発明に係るナプキンの例３を説明する。図３において、パック３１は４室３２Ｌ，３２Ｒ，３３Ｌ，３３Ｒから成る。パック３１の構成材料は例１と同様であり、このパック３１は前後のフィルムの間に中間のフィルム３４が介在して前後の２室３２、３３に分離するとともに、４周を閉じた構造とし、さらに、前後のフィルムと中間のフィルム３４をそれらの中央部にて夫々弱接着１５の分離帯を設け、前室を左右２室３２Ｌ３２Ｒ、後室を左右２室３３Ｌ、３３Ｒに分けている。なお、弱接着１５の分離帯以外は通常の扱いでは破れない強度を有する。
【００３０】
このように構成されたパック３１の前室左３２Ｌにはシート材１０を配置し、前室右３２Ｒには膨張用の液体１７を封入し、後室左３３Ｌには加熱手段１８又は冷却手段１９を配置し、後室右３３Ｒには加熱手段の反応補助剤又は冷却手段の反応補助剤を夫々位置する。そこで、前室右３２Ｒを加圧して弱接着１５の分離帯を破断させると、液体１７はシート材１０に含浸されシート材１０が膨張しナプキン２０となる（図７Ｂ）。また、後室右３３Ｒを加圧すると、反応補助剤が、破断した分離帯を超えて例えば加熱手段１８を反応させ中間のフィルム３４を挟んで膨張したナプキン２０を加温することとなる。なお、加熱手段１８と反応補助剤は例えば鉄粉と塩水、冷却手段１９と反応補助剤は例えば硝安と尿素の組み合わせなどである。
【産業上の利用可能性】
【００３１】
本発明に係るナプキンは、手を拭くためのナプキンとしての用途以外に、スポーツ時の汗拭きとして、老人介護の際の払拭用などとして、さらには医療現場における清浄用などの用途に利用できる可能性がある。また、事故現場のように、清潔性を期待しにくい場合にも、必要十分な衛生状態を保つために有用である。さらに、シート材を顔面に貼り付ける形状に形成し、化粧用のパック材としても利用可能である。
【図面の簡単な説明】
【００３２】
【図１】本発明に係るナプキンの実施形態の例１を示す斜視図。
【図２】同上の物の使用状態を示す斜視図。
【図３】本発明に係るナプキンの要部断面を示すもので、ＡはＩＩＩＡ−ＩＩＩＡ線断面図、ＢはＩＩＩＢ−ＩＩＩＢ線断面図。
【図４】本発明に係るナプキンの使用状態の例１を示す説明図。
【図５】本発明の実施形態例２を示すもので、Ａはパックを加圧し分離帯を破断する状態の断面図、Ｂは液体が浸透して濡れたナプキンとなった状態を示す断面図。
【図６】本発明の実施形態の例３を示す斜視図。
【図７】同上の物の分離帯破断前後の形状変化を示すもので、Ａは使用前の断面図、Ｂは使用時の断面図。
【符号の説明】
【００３３】
１０  シート材
１１  パック
１２  一室
１３  他室
１４  強接着
１５  弱接着
１６  分離帯構成材
１７  液体
１８  加熱手段
１９  冷却手段
２０  ナプキン
２１  破断部
２２  切り口
【図１】
2008086415.tif 000003
【図２】
2008086415.tif 000004
【図３】
2008086415.tif 000005
【図４】
2008086415.tif 000006
【図５】
2008086415.tif 000007
【図６】
2008086415.tif 000008
【図７】
2008086415.tif 000009